(57)【要約】【課題】通話中に火災が発生しても通話状況を良好に維持することを可能にし、また、異常が発生するとその内容や解決方法等を案内することを可能にした火災受信機を提供する。【解決手段】火災を報知するための音響部１９と、火災監視区域に対応して設けられた地区灯２１と、火災を検知すると、音響部１９を鳴動させるとともに火災発生場所に対応した地区灯２１を点灯させるＭＰＵ１１とを備える。ＭＰＵ１１は、通話中に火災を検知すると、音響部１９を小音量にし又は鳴動を停止させるとともに、火災発生場所に対応した地区灯２１を点滅表示させる。【選択図】        図１
2004302807.tif 000002
【特許請求の範囲】
【請求項１】
火災を報知するための主音響装置と、
火災監視区域に対応して設けられた地区灯と、
火災を検知すると、前記主音響装置を鳴動させるとともに火災発生場所に対応した地区灯を点灯させる制御手段とを備え、
前記制御手段は、端末器との通話中に火災を検知すると、前記主音響装置を小音量にし又は鳴動を停止させるとともに、火災発生場所に対応した地区灯を点滅表示させることを特徴とする火災受信機。
【請求項２】
異常の発生を知らせるための異常表示灯と、
音響出力部と、
異常の内容、及び前記異常の解決方法又は解決できない場合の連絡先を含む音声メッセージが格納された記憶手段と、
異常の有無を検査して異常が有ると判断すると、前記異常表示灯を点灯させ、また、異常の内容に対応した音声メッセージを前記記憶手段から読み出して前記音響出力部に出力する制御手段と
を備えたことを特徴とする火災受信機。
【請求項３】
操作部を備え、前記制御手段は、前記異常表示灯を点灯させた後に、前記操作部からの操作信号が入力されると、異常の内容に対応した音声メッセージを前記記憶手段から読み出して前記音響出力部に出力することを特徴とする請求項２記載の火災受信機。
【請求項４】
前記音響出力部は送受話器のスピーカーからなるものであることを特徴とする請求項２又は３記載の火災受信機。
【発明の詳細な説明】
【０００１】
【発明の属する技術分野】
本発明は、中央監視室等に設置される火災受信機に関し、特に端末器との通話及び異常発生時の対処に関する。
【０００２】
【従来の技術】
従来、例えば病院やホテル等の防災設備を一箇所で総合的に集中管理する火災報知システムにおいては、中央監視室等に設置された火災受信機及び複数の監視区域に設置された発信機等の端末器にそれぞれ送受話器を接続することにより、両者の間で通話が可能になっている。
【０００３】
火災受信機と端末器との間の通話状況を良好にするために、例えば火災発生中に発信機等の端末器と火災受信機との間で通話を行うと、自動的に火災音響を停止したり音量を低下させたり、また、通話中に後続火災が発生した場合には火災音響を鳴動させて後続火災の発生を知らせるようにした火災報知システムが提案されている（例えば特許文献１）。
【０００４】
また、従来の火災報知システムには、異常発生時にトラブル確認スイッチを操作して、音響出力部より発生した異常内容に対応する音声メッセージを出力したり、発生した異常内容を７セグメント表示部で通知したりして発生した異常（イベント）内容を確認することができるようにしたものがある（例えば特許文献２）。
【０００５】
【特許文献１】
特許第２８２３９号公報
【特許文献２】
特開２００１−１２６１６１号公報
【０００６】
【発明が解決しようとする課題】
上記の火災報知システムの火災受信機（特許文献１）は、火災発生中に発信機等の端末器と火災受信機との間で通話を行うと、自動的に火災音響を停止したり音量を低下させたりしているが、通話中に火災が発生すると火災音響が鳴動するため、通話状況が良好でなくなり、重要な情報の聞き逃しや情報伝達の遅延等が生じるという不都合があった。
【０００７】
また、上記の火災報知システムの火災受信機（特許文献２）は、音声メッセージ及び７セグメント表示部により発生した異常内容を確認することができるが、この異常事態を解決するためには、説明書を読んで対応したり、解決できない場合には、メーカー等の電話番号を探してから問い合わせを行う等して対処しなければならなかった。また、音声出力部としてのスピーカーを別途設けなければならなかった。
【０００８】
本発明の目的は、上記の問題点を解決するためになされたものであり、通話中に火災が発生しても良好な通話状態を維持することを可能にした火災受信機を提供することにある。
また、本発明の他の目的は、異常が発生するとその内容や解決方法等を案内することを可能にした火災受信機を提供することにある。
【０００９】
【課題を解決するための手段】
本発明に係る火災受信機は、火災を報知するための主音響装置と、火災監視区域に対応して設けられた地区灯と、火災を検知すると、前記主音響装置を鳴動させるとともに火災発生場所に対応した地区灯を点灯させる制御手段とを備え、前記制御手段は、端末器との通話中に火災を検知すると、前記主音響装置を小音量にし又は鳴動を停止させるとともに、火災発生場所に対応した地区灯を点滅表示させる。
【００１０】
また、本発明に係る火災受信機は、異常の発生を知らせるための異常表示灯と、音響出力部と、異常の内容、及び前記異常の解決方法又は解決できない場合の連絡先を含む音声メッセージが格納された記憶手段と、異常の有無を検査して異常が有ると判断すると、前記異常表示灯を点灯させ、また、異常の内容に対応した音声メッセージを前記記憶手段から読み出して前記音響出力部に出力する制御手段とを備えたものである。
【００１１】
また、本発明に係る火災受信機は、操作部を備え、前記制御手段は、前記異常表示灯を点灯させた後に、前記操作部からの操作信号が入力されると、異常の内容に対応した音声メッセージを前記記憶手段から読み出して前記音響出力部に出力する。
【００１２】
また、本発明に係る火災受信機において、前記音響出力部は送受話器のスピーカーからなるものである。
【００１３】
【発明の実施の形態】
実施形態１．
図１は本発明の実施形態１に係る火災受信機の構成を示したブロック図である。この火災受信機１０は、本発明の制御手段として機能し、各種の演算処理を行うマイクロプロセッサ（以下、ＭＰＵという）１１、このＭＰＵ１１の演算処理を規定するためのプログラムが格納されるＲＯＭ１２、作業用のデータ等が格納されるＲＡＭ１３、及び各種のデータが格納されるＥ２ＰＲＯＭ１４を備えており、これらはバス１５を介して相互に接続されている。また、ＭＰＵ１１はバス１５を介して後述の機器と接続されており、当該機器から信号を取り込んだり或いは制御信号を送出する。
【００１４】
ＭＰＵ１１に接続されているバス１５には、音量調整部１６、表示制御部１７及び操作制御部１８がそれぞれ接続されている。音量調整部１６にはブザー等からなる音響部１９（主音響装置）が接続されている。表示制御部１７には地区窓２０及び各種表示灯２３が接続されている。地区窓２０は警戒区域（火災監視区域）に対応して設けられた地区灯２１と記入部２２とから構成されており、火災が発生すると該当する地区灯２１が点灯する。記入部２２にはその地区灯２１が属する警戒区域（火災監視区域）名等が記入される。各種表示灯２３としては例えば電話灯２４及び異常代表灯２５がある。また、操作制御部１８には、警報音停止ＳＷ（スイッチ）２６、地区ベル一時停止ＳＷ２７、復旧ＳＷ２８及び異常確認ＳＷ２９がそれぞれ接続されている。
【００１５】
更に、バス１５には通話回路３０が接続されており、通話回路３０は電話ジャック３１を介して火災受信機用送受話器（図２（Ａ）参照）と接続される。通話回路３０には送受話器接続検出回路３２が接続されており、また、この送受話器接続検出回路３２はバス１５に接続されていて、火災受信機用送受話器及び発信機用送受話器（図２（Ｂ）参照）が接続されるとそれを検出して、バス１５を介してＭＰＵ１１に出力する。
【００１６】
また、上記のバス１５には地区音響駆動回路３３−１…３３−ｎ及び火災検出回路３４−１…３４−ｎがそれぞれ接続されており、地区音響駆動回路３３−１…３３−ｎは、火災監視区域に対応した地区ベル回線（Ｆ１…Ｆｎ）にそれぞれ接続された地区ベル４１を火災報知鳴動させる。火災検出回路３４−１…３４−ｎは火災監視区域に対応した火災地区回線（感知器回線）Ｌ１…Ｌｎにそれぞれ接続された感知器４２、発信機（Ｐ）４３からの信号を受信する。火災地区回線Ｌ１…Ｌｎに接続された発信機（Ｐ）４３は火災受信機１０の通話回路３０に電話線Ｔ１…Ｔｎを介して接続されている。なお、火災地区回線Ｌ１…Ｌｎの終端には終端抵抗４４が接続される。
【００１７】
図２（Ａ）（Ｂ）は火災受信機用送受話器及び発信機用送受話器の接続状態を示した回路図である。火災受信機用送受話器５０は、スピーカー５１、マイク５２及びアンプ回路５３から構成されており、通話状態にするためには、アンプ回路５３に接続されたプラグ５４を電話ジャック３１に差し込む必要がある。また、発信機用送受話器６０は、スピーカー６１、マイク６２及びアンプ回路６３から構成されており、通話状態にするためには、アンプ回路６３に接続されたプラグ６４を発信機４３の電話ジャック４３ａに差し込む必要がある。なお、発信機４３は、電話ジャック４３ａの他に、押しボタン４３ｂ及び火災信号出力部４３ｃを備えており、押しボタン４３ｂが操作されると火災信号出力部４３ｃが火災受信機１０の火災検出回路３４に火災信号を出力する。
【００１８】
火災受信機用送受話器５０と発信機用送受話器６０との間の通話については、次のようにしてなされる。まず、発信機用送受話器６０を発信機４３に接続すると、送受話器接続検出回路３２がそれを検出してＭＰＵ１１に出力する。ＭＰＵ１１は、表示制御部１７を介して電話灯２４を点滅させるとともに、音響部１９を駆動して電話音響を鳴動させる。その状態で火災受信機用送受話器５０を火災受信機１０に接続すると、ＭＰＵ１１は、音響部１９による電話音響を停止させ、表示制御部１７を介して電話灯２４を点灯する。そして、発信機用送受話器６０と火災受信機用送受話器５０とが通話状態になる。
【００１９】
図３は図１の火災受信機の処理過程を示したフローチャートである。
上記のように構成されている火災受信機１０において、ＭＰＵ１１は通話中であるかどうかを判断する（Ｓ１１）。即ち、発信機用送受話器６０と火災受信機用送受話器５０との間が通話状態にあるかどうかを判断する。この判断は、送受話器接続検出回路３２が、発信機用送受話器６０及び火災受信機用送受話器５０のプラグ５４，６４が接続されているかどうかを検出し、その検出信号に基づいて通話中であるかどうかの判断がなされる。ＭＰＵ１１は、通話中ではないという判断をした場合には、火災検出回路３４の出力に基づいて火災が発生しているかどうかについて判断する（Ｓ１２）。ＭＰＵ１１は火災検出回路３４を介して感知器４２、発信機４３からの火災信号を取り込んで所定の演算処理を行って、火災が発生しているかどうかを判断する。ＭＰＵ１１が火災が発生していると判断すると、火災音響鳴動処理をして、音量調整部１６を介して音響部１９を駆動して鳴動させるとともに、火災が発生した地区と所定の位置関係にある地区の地区音響駆動回路３３を駆動して該当する地区の地区ベル４１を鳴動させる（Ｓ１３）。また、ＭＰＵ１１は、表示制御部１７を介して地区窓２０の該当する地区灯２１を点灯させる（Ｓ１４）。
【００２０】
また、ＭＰＵ１１が上記の判断（Ｓ１１）において通話中であるという判断をした場合には、次に、火災が発生しているかどうかを上記（Ｓ１２）と同様にして判断する（Ｓ１５）。通話中に火災が発生すると、ＭＰＵ１１は火災音響を小音量鳴動処理（又は停止）し、音量調整部１６を制御して音響部１９の鳴動音を小さくする（又は停止）。更に、火災が発生した地区と所定の位置関係にある地区の地区音響駆動回路３３を駆動して該当する地区の地区ベル４１を鳴動させる（Ｓ１６）。このとき、地区ベル４１の音量を下げたり、又は停止させるようにしてもよい。また、通話中に発生した火災に対しては、ＭＰＵ１１は、表示制御部１７を介して地区窓２０の該当する地区灯２１を赤色点滅表示させる（Ｓ１７）。そして、上記の処理（１１）に戻って、上記の処理（Ｓ１１）〜（Ｓ１７）を繰り返すことになるが、通話が終了すると（Ｓ１１）、再度、通常時の火災音響鳴動処理（Ｓ１３）、火災地区灯点灯処理（Ｓ１４）に復帰する。
【００２１】
なお、上記においては通話中に火災が発生した場合の例について説明したが、火災が発生してから通話動作に入った場合においても同様に処理されることになり、その順序は問わない。例えば火災が発生して火災受信機１０の音響部１９が鳴動した段階で、管理人の一人が地区灯２１の表示に基づいて該当する地区に行って、発信機用送受話器６０を発信機４３に接続する。それによって、上記のように電話灯２４が点滅し、音響部１９による電話音響が発生する。このような状態で、管理人の他の一人が火災受信機用送受話器５０を火災受信機１０に接続すると、音響部１９による電話音響が停止し、電話灯２４が点灯し、発信機用送受話器６０と火災受信機用送受話器５０とが通話可能になる。このとき、火災音響は小音量鳴動処理（又は停止）され、また、通話中に火災が発生すると、地区窓２０の該当する地区灯２１を赤色点滅表示させる。
【００２２】
以上のように本実施形態においては、通話中は音響部（主音響装置）１９を小音量鳴動又は鳴動停止させる制御を行うようにしている。また、通話中に発生した火災は、地区灯２１を通常時とは異なる制御状態、即ち地区灯２１を点滅制御させて確認可能にしている。このため、火災時であっても現場との通話が妨げられることなく、かつ通話時に火災等の発生により現場の状況が変化しても地区灯２１が点滅するので確認することができる。
【００２３】
実施形態２．
次に、本発明の実施形態２に係る火災受信機について説明する。この火災受信機の構成は図１に示されるとおりであるが、Ｅ２ＲＯＭ１４には次の表１に示されるデータ（音声メッセージ）が格納されており、異常状態を検出すると、その異常状態に対応するメッセージを音響出力部から出力させて、管理人にその異常状態の内容及び対処方法について案内する。
【００２４】
【表１】
2004302807.tif 000003
【００２５】
図４は本実施形態２に係る火災受信機の処理過程を示したフローチャートである。ＭＰＵ１１は、異常が発生したどうかについて判断し（Ｓ２１）、異常が発生した場合にはその異常情報をＲＡＭ１３に格納する（Ｓ２２）。そして、ＭＰＵ１１は、音量調整部１６を介して音響部１９を鳴動させるとともに、表示制御部１７を介して異常代表灯２５を点灯させる（Ｓ２３）。ＭＰＵ１１は、異常確認スイッチ２９が操作されたかどうかを、操作制御部１８から信号を取り込んで判断する（Ｓ２４）。例えば管理人が上記の音響部１９の鳴動及び異常代表灯２５の点灯により異常が発生したことを認識すると、異常確認スイッチ２９を操作するとともに、火災受信機用送受話器５０のプラグ５４を火災受信機１０の電話ジャック３１に接続する。ＭＰＵ１１は、異常確認スイッチ２９が操作されたと判断すると、送受話器接続検出回路３２の出力に基づいて火災受信機用送受話器５０が接続されたかどうかを判断する（Ｓ２５）。ＭＰＵ１１は、火災受信機用送受話器５０が接続されていると判断すると、音響部１９の鳴動を停止し（Ｓ２６）、ＲＡＭ１３に格納された異常情報に対応した個別音響（音声メッセージ）を火災受信機用送受話器５０に出力する（Ｓ２７）。
【００２６】
例えば上記の処理（Ｓ２１）においては、例えば表１の各種の異常項目についてチェックを行う。なお、火災受信機の異常検知は従来から一般的に行われているので、ここでは異常検知の詳細は省略するが、図１の火災受信機１０には、図示を省略したが、「電源部」、「電源部異常検出回路」、「予備電源部」、「使用電源部切換回路  」  、「電源部異常検出回路」、「ヒューズ」、「ヒューズ断線検出回路」、「非常放送回線」、「異常検出回路」、「断線検出回路」等を備えているものとする（これの構成は従来の火災受信機においても一般的に装備されているものである。）。
【００２７】
例えば表１の異常項目の「回路電圧」については、「電源部」に接続された「電源部異常検出回路」が電源部の異常を検出する。例えば、２４Ｖ電源の状態検出を行う（例えば約２０Ｖ以下で異常と判断する）。このとき、異常を検出すると、「電源部」と「予備電源部」に接続された「使用電源部切換回路」が、火災受信機内部の各回路に供給される電源を「電源部」から「予備電源部」に切り換える。このような異常があると、「火災受信機の電源部に異常が発生しました。取扱説明書の裏面に書かれているサービスセンターに問い合わせ修理を依頼してください。製品型名は「○○○」で異常の内容は「回路電圧」です。」という音声が火災受信機用送受話器５０から得られる。
【００２８】
また、異常項目の「予備電源」は、「予備電源部」に接続された「電源部異常検出回路」が予備電源部の異常を検出する。例えば、バッテリーの容量低下の検出を行う（規定値以下で異常と判断する）。このような異常があると、「火災受信機の予備電源部に異常が発生しました。電池が正しく接続されているか確認してください。それでも復旧しない場合は、取扱説明書の裏面に書かれているサービスセンターに問い合わせ電池の交換を依頼してください。製品型名は「○○○」で異常の内容は「予備電源」です。」という音声が火災受信機用送受話器５０から得られる。
【００２９】
また、異常項目の「ヒューズ断線」は、「ヒューズ」に接続された「ヒューズ断線検出回路」がヒューズ断線を検出する。例えば、ヒューズの導通状態の検出を行う。なお一般的に、ヒューズは、火災受信機１０から電源を供給する外部機器（火災感知器、地区ベル等）に接続された回線（感知器回線Ｌ、地区ベル回線Ｆ等）と各回路（火災検出回路、地区音響駆動回路等）との間に設けられている。これは、各回線の短絡電流等で各回路等が破損しないようにするためである。このような異常があると、「火災受信機のヒューズが断線しました。受信機の電源を落としてから断線しているヒューズを交換してください。ヒューズは付属品箱の中の同じ容量の物を取り付けてください。それでも復旧しない、またはヒューズがない場合は、取扱説明書の裏面に書かれているサービスセンターに問い合わせ修理を依頼して下さい。製品型名は「○○○」で異常の内容は「ヒューズの断線」です。」という音声が火災受信機用送受話器５０から得られる。
【００３０】
また、異常項目の「非常放送」は、「非常放送回線」に接続された「異常検出回路」が非常放送回線の短絡断線を検出する。例えば、非常放送設備のマイクスイッチ（図示せず）に接続された配線等の断線短絡を検出する。このような異常があると、「非常放送設備への配線に異常が発生しました。取扱説明書の裏面に書かれているサービスセンターに問い合わせ修理を依頼してください。製品型名は「○○○」で異常の内容は「非常放送」です。」という音声が火災受信機用送受話器５０から得られる。
【００３１】
また、異常項目の「火災地区回線断線（感知器回線Ｌ断線）」は、「火災地区回線（感知器回線Ｌ）」に接続された「断線検出回路」が火災地区回線（感知器回線Ｌ）の断線を検出する。感知器回線Ｌが断線すると、感知器回線Ｌの終端抵抗４４による微弱な電流が検出されなくなる。このような異常があると、「感知器への配線に異常が発生しました。取扱説明書の裏面に書かれているサービスセンターに問い合わせ修理を依頼してください。  製品型名は「○○○」で異常の内容は「火災地区回線断線」です。」という音声が火災受信機用送受話器５０から得られる。
【００３２】
以上のように本実施形態においては、火災受信機に異常が発生した時には、異常代表灯２５にこれを表示し、この状態で異常確認ＳＷ２９が操作されると、発生した異常の内容に応じたメッセージを個別に音響出力部から出力する。このとき、メッセージは、発生した異常の内容、この異常の解決方法、又は、解決できない場合の連絡先等から構成されるので、発生した異常を解決するために説明書を読んだり、メーカ等の電話番号を探してから問い合わせを行うなどという煩雑な作業がいらなくなる。また、発生した異常の内容に対応して個別のメッセージを音響出力部から出力するが、音響出力部は、火災受信機１０に付属の火災受信機用送受話器５０のスピーカー５１を利用するので、コストを抑えることができる。なお、本発明の制御手段とは、本実施形態２においては、ＭＰＵ１１と、上記の「電源部異常検出回路」、「電源部異常検出回路」等の異常検出手段とを含むものである。
【００３３】
実施形態３．
なお、上述の実施形態においては、通話中であるかどうかの判断を発信機び火災受信機にそれぞれ設けられた電話ジャックに送受話器を接続したことを検出して検出する例について説明したが、送受話器を常設した火災受信機及び発信機の場合には、火災受信機及び発信機の送受話器を電話フックから外したこと（オフフック）を検出することにより、通話中であることを検出する。また、発信機４３に送受話器を接続する例について説明したが、感知器４２に接続できるように構成してもよい。
【図面の簡単な説明】
【図１】本発明の実施形態１に係る火災受信機の構成を示したブロック図である。
【図２】火災受信機用送受話器及び発信機用送受話器の接続状態を示した回路図である。
【図３】図１の火災受信機の処理過程を示したフローチャートである。
【図４】本発明の実施形態２に係る火災受信機の処理過程を示したフローチャートである。
【符号の説明】
１０  火災受信機、  １１  マイクロプロセッサ（ＭＰＵ）、１５  バス、１６  音量調整部、１７  表示制御部、１８  操作制御部、１９  音響部、２０  地区窓、２１  地区灯、２２  記入部、２３  各種表示灯、２４  電話灯、２５異常代表灯、２９  異常確認スイッチ、３０  通話回路、３１  電話ジャック、３２  送受話器接続検出回路、３３  地区音響駆動回路、３４  火災検出回路、４１  地区ベル、４２  感知器、４３  発信機、４３ａ  電話ジャック、４３ｂ  ボタン、４３ｃ  火災信号出力部、４４  終端抵抗、５０  火災受信機用送受話器、５１  スピーカー、５２  マイク、５３  アンプ回路、５４  プラグ、６０  発信機用送受話器、６１  スピーカー、６２  マイク、６３  アンプ回路、６４  プラグ。
【図１】
2004302807.tif 000004
【図２】
2004302807.tif 000005
【図３】
2004302807.tif 000006
【図４】
2004302807.tif 000007